(57)【特許請求の範囲】
【請求項１】
複数のキーを有する操作手段と、
前記複数のキーのうちの任意のキーに、当該キーに予め割り付けられている機能である当該キー本来の機能とは異なる機能を登録するキー登録手段と、
前記キーと前記登録された機能とを対応付けて記憶する記憶手段と、
前記機能を登録されたキーが操作された場合、続いて特定のキーが操作されたか否かを判定し、判定結果に応じて、前記キー本来の機能を動作させるか、前記登録された機能を動作させるかを切り替える機能判定手段と、
を備えることを特徴とする入力装置。
【請求項２】
前記キー登録手段は、前記キー本来の機能とは異なる機能として、所望のＷｅｂページにアクセスする機能を登録し、
前記特定のキーは、Ｗｅｂページにアクセスする機能を割り当てられたキーであることを特徴とする請求項１に記載の入力装置。
【請求項３】
前記機能が登録されたキーが操作されてから、前記特定のキーが操作されるまでの時間を計測するタイマー手段を有し、
前記機能判定手段は、前記機能が登録されたキーが操作されてから前記特定のキーが操作されるまでの時間が所定時間以内かどうかに応じて、前記キー本来の機能を動作させるか、前記登録された機能を動作させるかを切り替える
ことを特徴とする請求項１または請求項２に記載の入力装置。
【請求項４】
複数のキーを有する入力装置の入力方法であって、
前記複数のキーのうちの任意のキーに、当該キーに予め割り付けられている機能である当該キー本来のキーの機能とは異なる機能を登録する登録ステップと、
前記キーと前記登録された機能とを対応付けて記憶する記憶ステップと、
前記機能を登録されたキーが操作された場合、続いて特定のキーが操作されたか否かを判定し、判定結果に応じて、前記キー本来の機能を動作させるか、前記登録された機能を動作させるかを切り替える機能切替ステップと、
を備えることを特徴とする入力方法。
【請求項５】
複数のキーを有する入力装置としてのコンピュータに、
前記複数のキーのうちの任意のキーに、当該キーに予め割り付けられている機能である当該キー本来のキーの機能とは異なる機能を登録する登録ステップと、
前記キーと前記登録された機能とを対応付けて記憶する記憶ステップと、
前記機能を登録されたキーが操作された場合、続いて特定のキーが操作されたか否かを判定し、判定結果に応じて、前記キー本来の機能を動作させるか、前記登録された機能を動作させるかを切り替える機能切替ステップと、
を実行させるためのプログラム。
【発明の詳細な説明】
【技術分野】
【０００１】
本発明は、複数のキーを有する入力装置、当該入力装置における入力方法およびプログラムに関する。
【背景技術】
【０００２】
携帯端末装置を使って、通勤、通学時や、外出先等で、インターネットのＷｅｂサイトをアクセスする機会は多い。通常、携帯端末装置を用いて、ユーザーがＡというＷｅｂサイトに接続するためには、ユーザーは、各サイトのＵＲＬ(Uniform Resource Locator)が登録されているメニュー画面を起動し、４方向キーを使って、ＡというサイトのＵＲＬを選択して、Ｗｅｂサイトと接続している。
【０００３】
しかしながら、４方向キーでサイトのＵＲＬを選択するのでは操作性が良くない。また、ＵＲＬが登録されていない場合、ユーザーは、メニュー画面からＵＲＬ入力画面を選択し、ＡというサイトのＵＲＬを直接入力してＷｅｂサイトに接続する。しかしながら、携帯端末装置では、使用できるキーが少ないため、ＵＲＬを直接入力する際のキー押下回数が多くなり、ユーザーの負担が大きい。
【０００４】
また、特許文献１に記載のリモコンは、ＵＲＬと所定のキーとを対応付けて記憶する情報元識別子記憶手段を備える。これにより、ユーザーは簡単なキー操作を行うだけで、所望のＵＲＬを指定できるとされている。
【先行技術文献】
【特許文献】
【０００５】
【特許文献１】特開２００６−１８７０１８号公報
【発明の概要】
【発明が解決しようとする課題】
【０００６】
上述のように、携帯端末装置ではキーの数が少ないため、効率良くＷｅｂサイトにアクセスすることが難しい。また、特許文献１に示されるものでは、例えば短縮キーを押下した後にＵＲＬが記憶されたテンキーを押下して、所望のＷｅｂサイトにアクセスしている。この場合には、短縮キーを新たに追加する必要がある。また、特許文献１では、ＵＲＬと対応付けられるキーがテンキーに制限されている。
【０００７】
本発明は、上述の課題を解決することのできるキー入力装置、キー入力方法、及びキー入力プログラムを提供することを目的とする。
【課題を解決するための手段】
【０００８】
この発明は上述した課題を解決するためになされたもので、本発明の一態様による入力装置は、複数のキーを有する操作手段と、前記複数のキーのうちの任意のキーに、当該キーに予め割り付けられている機能である当該キー本来の機能とは異なる機能を登録するキー登録手段と、前記キーと前記登録された機能とを対応付けて記憶する記憶手段と、前記機能を登録されたキーが操作された場合、続いて特定のキーが操作されたか否かを判定し、判定結果に応じて、前記キー本来の機能を動作させるか、前記登録された機能を動作させるかを切り替える機能判定手段と、を備えることを特徴とする。
【０００９】
また、本発明の一態様による入力方法は、複数のキーを有する入力装置の入力方法であって、前記複数のキーのうちの任意のキーに、当該キーに予め割り付けられている機能である当該キー本来のキーの機能とは異なる機能を登録する登録ステップと、前記キーと前記登録された機能とを対応付けて記憶する記憶ステップと、前記機能を登録されたキーが操作された場合、続いて特定のキーが操作されたか否かを判定し、判定結果に応じて、前記キー本来の機能を動作させるか、前記登録された機能を動作させるかを切り替える機能切替ステップと、を備えることを特徴とする。
【００１０】
また、本発明の一態様によるプログラムは複数のキーを有する入力装置としてのコンピュータに、前記複数のキーのうちの任意のキーに、当該キーに予め割り付けられている機能である当該キー本来のキーの機能とは異なる機能を登録する登録ステップと、前記キーと前記登録された機能とを対応付けて記憶する記憶ステップと、前記機能を登録されたキーが操作された場合、続いて特定のキーが操作されたか否かを判定し、判定結果に応じて、前記キー本来の機能を動作させるか、前記登録された機能を動作させるかを切り替える機能切替ステップと、を実行させるためのプログラムである。
【発明の効果】
【００１１】
本発明によれば、入力装置の有するキーの数が少ない場合でも、ユーザーは、簡単な操作で、所望するＷｅｂサイトにアクセスできるなど、簡単な操作で機能を選択できる。
【図面の簡単な説明】
【００１２】
【図１】本発明の一実施形態における携帯端末装置１の外形の概略を示す外形図である。
【図２】同実施形態における携帯端末装置１の概略構成を示す構成図である。
【図３】同実施形態において登録テーブルに格納されるデータの例を示す説明図である。
【図４】同実施形態において、任意のキーにＷｅｂサイトを登録する際の、携帯端末装置１の処理手順を示すフローチャートである。
【図５】同実施形態において、Ｗｅｂサイトにアクセスする際の、携帯端末装置１の処理手順を示すフローチャートである。
【発明を実施するための形態】
【００１３】
以下、図面を参照して、本発明の実施の形態について説明する。
なお、以下では、携帯端末装置、特に携帯電話機に本発明を適用した場合の例について説明するが、本発明の適用範囲はこれに限らない。本発明は、ゲーム機など、複数のキーを有する様々な入力装置に適用可能である。
【００１４】
図１は、本発明の一実施形態における携帯端末装置１の外形の概略を示す外形図である。図１（Ａ）は、携帯端末装置１を折り畳んだ際に内側となる部分における各部の配置を示し、図１（Ｂ）は、外側となる各部における配置を示す。
【００１５】
図１（Ａ）に示すように、携帯端末装置１の下側筐体２の下端には、マイクロホン１１が配置される。また、携帯端末装置１の上側筐体３の上端には、スピーカ１２が配置される。マイクロホン１１及びスピーカ１２は、例えば、音声通話時における送受話に用いられる。
【００１６】
また、携帯端末装置１の上側筐体３には、表示部１３の表示画面が配置される。表示部１３は、例えば液晶ディスプレイの表示画面を有する。表示部１３には、各種の文字や画像が表示される。例えば、電話利用時には、表示部１３に、着信相手や送信相手の電話番号や住所録が表示される。また、インターネット利用時には、表示部１３に、インターネットのＷｅｂページが表示される。また、メール利用時には、表示部１３に、送受信メールが表示される。また、カメラ撮影時には、表示部１３がビューファインダとして用いられる他、撮影したカメラ画像が表示部１３に表示される。また、ＧＰＳナビゲーション機能使用時には、表示部１３に、地図が表示される。また、テレビジョン受信時には、表示部１３に、受信したテレビジョン放送の画像が表示される。
【００１７】
携帯端末装置１の下側筐体２には、テンキー（＊キーや＃キーを含む）２１、発信キー及び終了キー２２ａ及び２２ｂ、ブラウザ起動キー２３、メールキー２４、アドレス帳キー２５、カメラキー２６、決定キー２７、４方向キー２８等が配置される。
【００１８】
携帯端末装置１の外側には、図１（Ｂ）に示すように、カメラ部１８の撮像用レンズが配置される。カメラ部１８は、風景等を撮影するのに利用される他、バーコード（一次元バーコード、二次元バーコード（ＱＲコード））の読み取り等に利用される。
【００１９】
図２は、携帯端末装置１の概略構成を示す構成図である。図２において、携帯端末装置１は、マイクロホン１１と、スピーカ１２と、表示部１３と、カメラ部１８と、主制御部（キー登録手段、機能判定手段、タイマー手段）３１と、メモリ（記憶手段）３２と、操作部（操作手段）３３と、無線通信部３５と、音声処理部３６と、テレビジョン受信部４０とを具備する。
【００２０】
主制御部３１は、携帯端末装置１の各部の制御を行う。主制御部３１は、例えば、携帯端末装置１の具備するＣＰＵ(Central Processing Unit)が、メモリ３２からプログラムを読み出して実行することにより実現される。メモリ３２は、ＣＰＵが読み出して実行するプログラムや、各種データを記憶する。更に、メモリ３２は、キーと、そのキーに対応するＷｅｂサイトのＵＲＬとの登録テーブルを記憶する。登録テーブルの説明については、図３を用いて後述する。
【００２１】
操作部３３は、ユーザーからの入力操作が行われる。操作部３３には、図１に示した、テンキー２１、発信キー及び終了キー２２ａ及び２２ｂ、ブラウザ起動キー２３、メールキー２４、アドレス帳キー２５、カメラキー２６、決定キー２７、４方向キー２８等が含まれる。表示部１３は、上述したように、例えば液晶ディスプレイの表示画面を有し、各種の文字や画像を表示する。
【００２２】
無線通信部３５は、例えば、携帯電話通信網（電気通信事業者が携帯電話用に提供する通信ネットワーク）の基地局との間で、電波の送受信を行う。本発明は、無線通信部３５の通信方式に依存せず、無線通信部３５の通信方式としては、ＰＤＣ(Personal Digital Cellular)、ＧＳＭ(Global System for Mobile Communication)、ＣＤＭＡ(Code Division Multiple アクセス)、ＷＣＤＭＡ(Wideband CDMA)等、様々な方式を用いることができる。
【００２３】
マイクロホン１１及びスピーカ１２は、上述したように、例えば、音声通話時に、送受話を行うために用いられる。音声処理部３６は、入力音声信号や出力音声信号の処理を行う。
カメラ部１８は、カメラ撮影を行う。カメラ部１８には、上述した撮像用レンズ等の光学系と、ＣＣＤ(Charge Coupled Device)等のイメージセンサとが含まれる。
テレビジョン受信部４０は、ワンセグテレビジョン放送の受信を行う。ＧＰＳ機能部４１は、複数の衛星からの電波を受信して、携帯端末装置１の現在地を測位する。
【００２４】
次に、携帯端末装置１におけるキー入力操作について説明する。上述したように、携帯端末装置１には、操作部３３のテンキー２１、発信キー及び終了キー２２ａ及び２２ｂ、ブラウザ起動キー２３、メールキー２４、アドレス帳キー２５、カメラキー２６、決定キー２７、４方向キー２８等が配置されている。そして、ユーザーは、これらのキーのうち任意のキーを選択し、選択したキーに、ＷｅｂサイトのＵＲＬを登録することができる。キーにＷｅｂサイトのＵＲＬを登録するユーザー操作が行われると、当該ユーザ操作に基づいて、キーとＵＲＬとの対応関係を示す登録テーブルがメモリ３２に記憶される。
【００２５】
図３は、登録テーブルに格納されるデータの例を示す説明図である。同図の例では、テンキー２１のうちのキー「１」にＷｅｂサイトのＵＲＬ"http://aaa.com"が登録され、アドレス帳キー２５にＷｅｂサイトのＵＲＬ"http://bbb.com"が登録され、カメラキー２６にＷｅｂサイトのＵＲＬ"http://ccc.com"が登録されている。
【００２６】
このように、キーにＷｅｂサイトのＵＲＬが登録された状態で、ＵＲＬを登録されたキーが押下されると、主制御部３１は、続いて所定時間（例えば３秒）以内に、特定のキーが押下されたか否かを判定する。
所定時間以内に特定のキーが押下されたと判定した場合、主制御部３１が無線通信部３５を制御して、押下されたキーに登録されているＷｅｂサイトのＵＲＬにアクセスする。一方、所定時間以内に特定のキーが押下されなかったと判定した場合、主制御部３１は、押下されたキーに予め割り付けられている機能（以下、「キー本来の機能」と称する）を実行する。
特定のキーとしては、例えば、ブラウザ起動キー２３が用いられる。
【００２７】
例えば、各キーに対応して、図３に示すＵＲＬが登録されている場合、ユーザーが、テンキーのキー「１」を押下し、さらに、所定時間以内にブラウザ起動キー２３を押下すると、主制御部３１は、ブラウザ起動して表示部１３にブラウザ画面を表示させる。また、主制御部３１は、無線通信部３５を制御して、ＵＲＬ"http://aaa.com"のウェブページにアクセスし、表示部１３にウェブページを表示させる。
一方、ユーザーが、所定時間以内にブラウザ起動キー２３を押下しなければ、この入力は、通常のテンキーの「１」の入力として扱われる。
【００２８】
また、ユーザーがアドレス帳キー２５を押下し、さらに、所定時間以内にブラウザ起動キー２３を押下すると、主制御部３１は、ブラウザ起動して表示部１３にブラウザ画面を表示させる。また、主制御部３１は、無線通信部３５を制御して、ＵＲＬ"http://bbb.com"のウェブページにアクセスし、表示部１３にウェブページを表示させる。
一方、ユーザーが、所定時間以内にブラウザ起動キー２３を押下しなければ、この入力は、アドレス帳キー２５の入力として扱われ、主制御部３１は、表示部１３に、アドレス帳を表示させる。
【００２９】
また、ユーザーがカメラキー２６を押下し、さらに、所定時間以内に、ブラウザ起動キー２３を押下すると、主制御部３１は、ブラウザ起動して表示部１３にブラウザ画面を表示させる。また、主制御部３１は、無線通信部３５を制御して、ＵＲＬ"http://ccc.com"のウェブページにアクセスし、表示部１３にウェブページを表示させる。
一方、ユーザーが、所定時間以内にブラウザ起動キー２３を押下しなければ、この入力は、カメラキー２６の入力として扱われ、主制御部３１は、カメラ部１８を起動して、表示部１３にファインダー画像を表示させる。
【００３０】
このように、携帯端末装置１では、ユーザーは、操作部３３の任意のキーに、ＷｅｂサイトのＵＲＬを登録することができる。また、携帯端末装置１は、所定時間以内に、ブラウザ起動キー２３が押下されたか否かにより、登録された所望のＷｅｂサイトに簡単にアクセスする機能と、押下されたキー本来の機能とを切り替え手実行する。このため、携帯端末装置１の具備するキーの数が少なくとも、ユーザーは、簡単な操作で、所望のＷｅｂサイトに簡単にアクセスできる。また、所定時間以内に押下される特定キーとしては、操作部３３に予め含まれているキー、例えばブラウザ起動キー２３が用いられており、携帯端末装置１に新たなキーを配置する必要はない。
【００３１】
次に、図４および図５を参照して、携帯端末装置１の動作について説明する。
図４は、任意のキーにＷｅｂサイトを登録する際の、携帯端末装置１の処理手順を示すフローチャートである。携帯端末装置１は、電源をＯＮされた状態、かつ、通話着信処理等の割込処理を行っていない状態において、同図の処理を繰り返す。
図４において、主制御部３１は、ユーザーによってキー割り付け設定機能が選択されたか否かを判定する（ステップＳ１１）。
キー割り付け設定メニューが起動されたと判定した場合（ステップＳ１１：ＹＥＳ）、操作部３３が、ユーザによるキー選択（キーの押下）を受け付け、選択されたキーを示す情報を主制御部３１に出力する（ステップＳ１２）。
また、主制御部３１は、選択されたキーに対応付けるＵＲＬを取得する（ステップＳ１３）。例えば、主制御部３１は、表示部１３がウェブページを表示している場合は、当該ウェブページのＵＲＬを、選択されたキーに対応付けるＵＲＬとして取得する。一方、表示部１３がウェブページを表示していない場合は、操作部３３が、キー押下によるＵＲＬの入力を受付、主制御部３１は、入力されたＵＲＬを、選択されたキーに対応付けるＵＲＬとして取得する。
そして、主制御部３１は、選択されたキーと取得したＵＲＬとを対応付けて、メモリ３２に書き込む（ステップＳ１４）。その後、同図の処理を終了する。
一方、ステップＳ１１で、キー割り付け設定機能が選択されていないと判定した場合（ステップＳ１１：ＮＯ）、携帯端末装置１は、通常の動作を行う（ステップＳ１５）。その後、同図の処理を終了する。
【００３２】
図５は、Ｗｅｂサイトにアクセスする際の、携帯端末装置１の処理手順を示すフローチャートである。携帯端末装置１は、例えば、図４のステップＳ１５において図５の処理を行うなど、電源をＯＮされ、通話着信処理等の割込処理を行っておらず、かつ、図４の処理を行っていない状態において、図５の処理を繰り返す。
図５において、まず、操作部３３が、ユーザーのキー押下を受け付けて、押下されたキーを示す情報を主制御部３１に出力する（ステップＳ２１）。
主制御部３１は押下されたキーに対応付けられたＵＲＬ（以下、「割り付けＵＲＬ」と称する）があるか否かを、メモリ３２の登録テーブル（図３）を参照して判定する（ステップＳ２２）。
押下されたキーに対応する割り付けＵＲＬがあると判定した場合（ステップＳ２２：ＹＥＳ）、主制御部３１は、所定の待ち時間経過を測定するためのタイマーをスタートする（ステップＳ２３）。そして、主制御部３１は、ブラウザ起動キー２３が押下されたか否かを判定する（ステップＳ２４）。
【００３３】
一方、ステップＳ２２において、押下されたキーに対応するＵＲＬがないと判定した場合（ステップＳ２２：ＮＯ）、携帯端末装置１は、通常の動作を行う（ステップＳ２８）。また、ステップＳ２４において、所定時間以内にブラウザ起動キー２３が押下されなかったと判定した場合（ステップＳ２４：ＮＯ）も、通常の操作を行う（ステップＳ２８）。
【００３４】
一方、ステップＳ２４で、ブラウザ起動キー２３が押下されたと判定した場合（ステップＳ２４：ＹＥＳ）、主制御部３１は、Ｗｅｂブラウザを起動して表示部１３にブラウザ画面を表示させる。
そして、主制御部３１は、ステップＳ２３でのタイマー起動時から所定時間（例えば３秒）以内にブラウザ起動キー２３が押下されたか否かを判定する（ステップＳ２６）。
タイマー起動時から所定時間以内にブラウザ起動キー２３が押下されたと判定した場合（ステップＳ２６：ＹＥＳ）、主制御部３１は、無線通信部３５を制御してステップＳ２２で判定されたＵＲＬのウェブページにアクセスし、表示部１３にウェブページを表示させる（ステップＳ２７）。
【００３５】
一方、ステップＳ２６で、タイマー起動時から所定時間以内にブラウザ起動キー２３が押下されていない場合(ステップＳ２６：ＮＯ)、主制御部３１は、通常のＷｅｂ接続（ホームページに設定されているウェブページへのアクセス）を行う（ステップＳ２９）。
【００３６】
以上、説明したように、携帯端末装置１は、所定時間以内に、特定のキー、例えばブラウザ起動キー２３が押下されたか否かにより、登録された所望のＷｅｂサイトに簡単にアクセスする機能と、そのキー本来の機能とを切り替える。これにより、携帯端末装置１の有するキーの数が少なくとも、ユーザーは、簡単な操作で所望のＷｅｂサイトにアクセスできるなど、簡単な操作で機能を選択できる。
特に、Ｗｅｂサイトへのアクセスの操作は、ＵＲＬの入力を伴うなどユーザーの負担の大きい操作であるが、携帯端末装置では、ユーザーは、ＵＲＬの登録されているキーと、特定のキーとを押下するという簡単な操作で、所望のウェブサイトにアクセスできる。
【００３７】
また、制御部３１が、ＵＲＬの登録されているキーが押下されてから、特定のキーが押下されるまでの時間間隔に応じて実行する機能を切り替えるので、携帯端末装置１は、機能の切り替えを実現するための専用のキーを具備する必要がない。
【００３８】
なお、上述の例では、任意のキーとＵＲＬへのアクセス機能とを対応させて記憶させているが、対応させる機能はこれに限定されるものではない。例えば、携帯端末装置１が、任意のキーとメールアドレスとを対応付けて登録するようにしてもよい。この場合、ユーザーがメールアドレスを登録したキーを押下し、さらに、所定時間以内にメールキー２４を押下すると、主制御部３１はメーラを起動し、登録したメールアドレスへのメール入力画面を表示部１３に表示させる。あるいは、携帯端末装置１が、任意のキーとテレビジョンチャンネルとを対応させて登録するようにしてもよいし、任意のキーと予定表の月日とを対応させて登録するようにしてもよい。
【００３９】
なお、携帯端末装置１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、上述した機能の一部を実現するためのものであっても良く、さらに上述した機能をコンピュータシステムにすでに記録されているプログラムとの組み合わせで実現できるものであっても良い。
【００４０】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００４１】
１  携帯端末装置
２  下側筐体
３  上側筐体
１１  マイクロホン
１２  スピーカ
１３  表示部
１８  カメラ部
２１  テンキー
２２ａ  発信キー
２２ｂ  終了キー
２６  ブラウザ起動キー
２４  メールキー
２５  アドレス帳キー
２６  カメラキー
２７  決定キー
２８  ４方向キー
３１  主制御部
３２  メモリ
３３  操作部
３５  無線通信部
３６  音声処理部
４０  テレビジョン受信部
４１  ＧＰＳ機能部
【図１】
0005641573.tif 000002
【図２】
0005641573.tif 000003
【図３】
0005641573.tif 000004
【図４】
0005641573.tif 000005
【図５】
0005641573.tif 000006